(57)【要約】【課題】無線ネットワークにける経路のより実際に近い安定性が、把握（評価）できるようにする。【解決手段】無線通信が行われている無線ネットワークを介した無線装置間の送信数およびこの送信に対する返信がなされなかった数を示す無返信数を計数する通信制御部１０１と、送信数および無返信数より送信が行われた経路の経路安定度を演算する安定度演算部１０２と、無線ネットワークの経路を表示部１０３に表示させる経路表示制御部１０４と、安定度演算部１０２が演算した経路安定度示すアイコンを対応する経路とともに表示部１０３に表示させる安定度表示制御部１０５とを備える。【選択図】  図１
2012138830.tif 000002
【特許請求の範囲】
【請求項１】
無線通信が行われている無線ネットワークを介した無線装置間の送信数およびこの送信に対する返信がなされなかった数を示す無返信数を計数する通信制御手段と、
前記送信数および前記無返信数より前記送信が行われた経路の経路安定度を算出する安定度演算手段と、
前記無線ネットワークの経路を表示部に表示させる経路表示制御手段と、
前記安定度演算手段が算出した経路安定度を示すアイコンを対応する経路とともに前記表示部に表示させる安定度表示制御手段と
を少なくとも備えることを特徴とする無線ネットワークの安定性表示装置。
【請求項２】
請求項１記載の無線ネットワークの安定性表示装置において、
前記安定度表示制御手段による前記アイコンの前記表示部への表示を更新する表示更新手段を備えることを特徴とする無線ネットワークの安定性表示装置。
【請求項３】
無線通信が行われている無線ネットワークを介した無線装置間の送信数およびこの送信に対する返信がなされなかった数を示す無返信数を計数する計数ステップと、
前記送信数および前記無返信数より前記送信が行われた経路の経路安定度を算出する算出ステップと、
前記無線ネットワークの経路を表示部に表示させる経路表示ステップと、
算出した経路安定度を示すアイコンを対応する経路とともに前記表示部に表示させる安定度表示ステップと
を少なくとも備えることを特徴とする無線ネットワークの安定性表示装置。
【発明の詳細な説明】
【技術分野】
【０００１】
本発明は、無線ネットワークの経路情報を表示する無線ネットワークの安定性表示装置および方法に関する。
【背景技術】
【０００２】
イーサネット（登録商標）などによる無線ネットワーク環境においては、特に、無線経路の安定性が重要となる。例えば、無線ネットワークでは、電波の干渉や物体の通過により通信の安定性が低下する場合がある。通信が安定しない場合、再送が頻発し、通信の遅延が発生し、また、消費電力の増加が問題となる。このため、最大送信レートにより送信レートを決定して無線ネットワークを確立する技術がある（特許文献１参照）。
【先行技術文献】
【特許文献】
【０００３】
【特許文献１】特開２００８−１９９３３２号公報
【特許文献２】特開２００７−１４２８３９号公報
【非特許文献】
【０００４】
【非特許文献１】L. Doherty et al. , "Channel-Specific Wireless Sensor Network Path Data", Computer Communications and Networks, Proceedings of 16th International Conference on, pp.89-94, 2007.
【発明の概要】
【発明が解決しようとする課題】
【０００５】
しかしながら、上述した技術では、最も安定している通信経路が決定されるが、この経路の「安定」が、必要な通信品質が得られている状態であるとは限らない。一方、無線ネットワーク環境において測定される電波強度を、表示により可視化する技術がある（特許文献２参照）。しかしながらこの可視化の技術では、干渉により電波強度が一時的に強くなることまでも考慮した、経路の安定性を評価しているものではない。
【０００６】
本発明は、以上のような問題点を解消するためになされたものであり、無線ネットワークにける経路のより実際に近い安定性が、評価できるようにすることを目的とする。
【課題を解決するための手段】
【０００７】
本発明に係る無線ネットワークの安定性表示装置は、無線通信が行われている無線ネットワークを介した無線装置間の送信数およびこの送信に対する返信がなされなかった数を示す無返信数を計数する通信制御手段と、送信数および無返信数より送信が行われた経路の経路安定度を演算する安定度演算手段と、無線ネットワークの経路を表示部に表示させる経路表示制御手段と、安定度演算手段が演算した経路安定度を示すアイコンを対応する経路とともに表示部に表示させる安定度表示制御手段とを少なくとも備える。
【０００８】
上記無線ネットワークの安定性表示装置において、安定度表示制御手段によるアイコンの表示部への表示を更新する表示更新手段を備えるようにしてもよい。
【０００９】
本発明に係る無線ネットワークの安定性表示方法は、無線通信が行われている無線ネットワークを介した無線装置間の送信数およびこの送信に対する返信がなされなかった数を示す無返信数を計数する計数ステップと、送信数および無返信数より送信が行われた経路の経路安定度を演算する演算ステップと、無線ネットワークの経路を表示部に表示させる経路表示ステップと、演算した経路安定度を示すアイコンを対応する経路とともに表示部に表示させる安定度表示ステップとを少なくとも備える。
【発明の効果】
【００１０】
以上説明したように、本発明によれば、送信数および無返信数による経路安定度を示すアイコンを対応する経路とともに表示するようにしたので、無線ネットワークにける経路のより実際に近い安定性が、評価できるようになるという優れた効果が得られる。
【図面の簡単な説明】
【００１１】
【図１】図１は、本発明の実施の形態における無線ネットワークの安定性表示装置の構成を示す構成図である。
【図２】図２は、本発明の実施の形態における無線ネットワークの安定性表示装置の動作（無線ネットワークの安定性表示方法）について説明するフローチャートである。
【図３】図３は、本発明の実施の形態における無線ネットワークの安定性表示装置の他の動作について説明するフローチャートである。
【図４】図４は、表示部１０３における表示状態を示す説明図である。
【発明を実施するための形態】
【００１２】
以下、本発明の実施の形態について図を参照して説明する。図１は、本発明の実施の形態における無線ネットワークの安定性表示装置の構成を示す構成図である。
【００１３】
この装置は、無線通信が行われている無線ネットワークを介した無線装置間の送信数およびこの送信に対する返信がなされなかった数を示す無返信数を計数する通信制御部１０１と、送信数および無返信数より送信が行われた経路の経路安定度を演算する安定度演算部１０２と、無線ネットワークの経路を表示部１０３に表示させる経路表示制御部１０４と、安定度演算部１０２が演算した経路安定度示すアイコンを対応する経路とともに表示部１０３に表示させる安定度表示制御部１０５とを備える。
【００１４】
また、本装置は、上述したアイコンの情報を備える表示情報記憶部１０６と、安定度表示制御部１０５によるアイコンの表示部１０３への表示を更新する表示更新部１０７とを備える。
【００１５】
次に、本実施の形態における無線ネットワークの安定性表示装置の動作（無線ネットワークの安定性表示方法）について、図２のフローチャートを用いて説明する。
【００１６】
まず、ステップＳ２０１で、無線通信が行われている無線ネットワークを介した無線装置間の送信数およびこの送信に対する返信がなされなかった数を示す無返信数を積算する。この積算は、計数ステップであり、図１に示した通信制御部１０１で行う。
【００１７】
次に、ステップＳ２０２で、積算された送信数および無返信数より送信が行われた経路の経路安定度を演算する。この演算は、演算ステップであり、安定度演算部１０２で行う。例えば、以下の式（１）により、経路安定度を演算することができる（非特許文献１参照）。
【００１８】
経路安定度＝１−（無返信数／送信数）・・・（１）
【００１９】
次に、ステップＳ２０３で、経路表示の指示が入力されると、ステップＳ２０４で、まず、無線ネットワークの経路を表示部１０３に表示させ、加えて、演算した経路安定度を示すアイコンを対応する経路とともに表示部１０３に表示させる。無線ネットワークの経路の表示は、経路表示ステップであり、経路表示制御部１０４で行う。アイコンの表示は、安定度表示ステップであり、安定度表示制御部１０５で行う。なお、ステップＳ２０１およびステップＳ２０２の動作は、設定されている時間毎に周期的に行うようにすればよい。このようにすることで、ネットワーク状態の評価が、より即時的に行える。
【００２０】
また、無線ネットワークの経路は、予め表示しておいてもよい。図３のフローチャートに示すように、まず、ステップＳ３０１で、無線ネットワークの経路を表示部１０３に表示させる。次に、ステップＳ３０２で、無線通信が行われている無線ネットワークを介した無線装置間の送信数およびこの送信に対する返信がなされなかった数を示す無返信数を積算する。
【００２１】
次に、ステップＳ３０３で、積算された送信数および無返信数より送信が行われた経路の経路安定度を演算する。次に、ステップＳ３０４で、安定度表示の指示が入力されると、演算した経路安定度を示すアイコンを経路に対応させて表示部１０３に表示させる。
【００２２】
次に、安定度の表示についてより詳細に説明する。安定度表示制御部１０５は、表示情報記憶部１０６に記憶されているアイコン情報より、演算した経路安定度に対応するアイコン情報を取り出し、このアイコン情報をもとにアイコンを表示部１０３に表示させる。
【００２３】
例えば、安定度表示制御部１０５は、経路安定度を５段階に分類し、経路安定度が６０％未満の状態を「レベル０」とし、経路安定度が６０％以上７０％未満の状態を「レベル１」とし、経路安定度が７０％以上８０％未満の状態を「レベル２」とし、経路安定度が８０％以上９０％未満の状態を「レベル３」とし、経路安定度が９０％以上の状態を「レベル４」とする。また、安定度表示制御部１０５は、上記分類に対応させて表示させるアイコンを選択する。
【００２４】
例えば、プラントに設置されて無線通信により計測した圧力値を送信する圧力センサ、プラントに設置されて無線通信により計測した温度値を送信する温度センサ、中継器、およびゲートウエイとから無線ネットワークが構築されている場合を例にする。ここで、ゲートウエイは、コンピュータ機器であり、上述した本実施の形態における無線ネットワークの安定性表示装置を構成している。
【００２５】
表示部１０３には、図４に示すように、上記圧力センサに対応するアイコン４０１、上記温度センサに対応するアイコン４０２、上記中継器に対応する２つのアイコン４１１，４１２、およびゲートウエイに対応するアイコン４１３が表示される。なお、アイコン４０３は、温度センサに対応するものである。
【００２６】
また、圧力センサと一方の中継器との間の無線ネットワーク経路が、アイコン４０１からアイコン４１１に向かう矢印のアイコン４２１で表示され、温度センサと他方の中継器との間の無線ネットワーク経路が、アイコン４０２からアイコン４１２に向かう矢印のアイコン４２２で表示され、一方の中継器とゲートウエイとの間の無線ネットワーク経路が、アイコン４１１からアイコン４１３に向かう矢印のアイコン４２３で表示され、一方の中継器と他方の中継器との間の無線ネットワーク経路が、アイコン４１１からアイコン４１２に向かう矢印のアイコン４２４で表示され、他方の中継器とゲートウエイとの間の無線ネットワーク経路が、アイコン４１２からアイコン４１３に向かう矢印のアイコン４２５で表示されている。
【００２７】
上述したように、無線ネットワークの経路が表示部１０３により可視化されている中で、まず、圧力センサと一方の中継器との間の無線ネットワーク経路のアイコン４２１とともに、この経路の安定度を示すアイコン４３１が表示される。また、温度センサと他方の中継器との間の無線ネットワーク経路のアイコン４２２とともに、この経路の安定度を示すアイコン４３２が表示される。
【００２８】
また、一方の中継器とゲートウエイとの間の無線ネットワーク経路のアイコン４２３とともに、この経路の安定度を示すアイコン４３３が表示される。また、一方の中継器と他方の中継器との間の無線ネットワーク経路のアイコン４２４とともに、この経路の安定度を示すアイコン４３４が表示される。また、他方の中継器とゲートウエイとの間の無線ネットワーク経路のアイコン４２５とともに、この経路の安定度を示すアイコン４３５が表示される。
【００２９】
上述した安定度を示す各アイコンは、前述した経路安定度のレベルに対応したものとなっている。上記例では、アイコン４３１が、レベル１の状態を示している。また、アイコン４３２，アイコン４３３，アイコン４３４，アイコン４３５は、レベル４の状態を示している。この安定度を示すアイコンは、アイコンに表示される棒グラフの状態により、上述したレベルが識別可能となっている。
【００３０】
上述したように、本実施の形態によれば、各経路の状態が、送信数および無返信数よる安定度のレベルに応じたアイコンで表示されるので、無線ネットワークにける経路のより実際に近い安定性が、評価できるようになる。この結果、無線ネットワークの監視が、信頼性の高い状態で行えるようになる。また、アイコンを用いることで、各経路の安定性が直感的に評価できるようになり、また、素早く評価できるようになる。
【００３１】
なお、本発明は以上に説明した実施の形態に限定されるものではなく、本発明の技術的思想内で、当分野において通常の知識を有する者により、多くの変形および組み合わせが実施可能であることは明白である。例えば、経路安定度を示すアイコンは、棒グラフを用いたものに限らず、安定度のレベルを円グラフで表示するようにしてもよい。また、アイコンは、安定度をバーの本数で示す形状で表示してもよい。また、このアイコンとともに、安定度を数値で表示してもよい。
【００３２】
また、複数のリンクを経由した経路の安定度を表示してもよい。例えば、図４の、アイコン４０１で示す圧力センサ−アイコン４０２で示 す温度センサ−アイコン４１２で示す中継器−アイコン４１３で示すゲートウエイの経路の安定度は、各ノード間のリンクの安定度の積とすればよい。
【００３３】
例えば、アイコン４０１−アイコン４１１の安定度が０．９８，アイコン４１１−アイコン４１２の安定度が０．９１，アイコン４１２−アイコン４１３の安定度が０．９６であれば、アイコン４０１−アイコン４１１−アイコン４１２−アイコン４１３の経路の安定度は、０．８６となる。このようにして求めた経路の安定度を、前述同様に表示すればよい。
【００３４】
また、例えば、前述したように経路安定度が９０％以上の状態である「レベル４」のアイコンが、上記経路に表示されるためには、上記経路におけるリンクの数は３であるので、各リンクにおける安定度は９７％以上（０．９７≒０．９1/3）となっている必要がある。
【００３５】
また、前ネットワークではなく、所望とする経路上の安定度のみを表示するようにしてもよい。また、安定度に対応して色を変えて表示する，大きさを変えて表示するなど、経路表示に用いている記号（アイコン）を可変表示することで、当該経路の安定度を示すようにしてもよい。また、経路にそってアイコンが移動していくようにしてもよい。
【符号の説明】
【００３６】
１０１…通信制御部、１０２…安定度演算部、１０３…表示部、１０４…経路表示制御部、１０６…表示情報記憶部、１０７…表示更新部。
【図１】
2012138830.tif 000003
【図２】
2012138830.tif 000004
【図３】
2012138830.tif 000005
【図４】
2012138830.tif 000006